(57)【要約】【課題】  放送により伝送される電子番組表などのデータの視認性を向上させる。【解決手段】  放送局１−２、１−３は電子番組表１−５や電子チラシ１−４などのデータを放送する場合に、視聴者の個人情報に基づいて取捨選択するためのインデックス情報２−１を個々のデータに付加して視聴者の受信装置１−６に送信する。インデックス情報は固定情報２−２と、半固定情報２−３と可変情報（期限付き情報）２−４により構成されている。受信装置は視聴者の個人情報５−２とインデックス情報に基づいて受信データを取捨選択して表示する。さらに受信装置により取捨選択されたデータが携帯端末１−９に転送され、さらに店舗端末に再転送される。【選択図】        図２
2006074801.tif 000002
【特許請求の範囲】
【請求項１】
番組を構成する映像信号及び音声信号とは独立したデータを放送局から送信するデジタルテレビ放送システムにおいて、
前記放送局が前記データを視聴者の個人情報に基づいて取捨選択するための前記データの内容に関係ない固定の情報と前記データの内容に応じて異なる半固定情報及び可変情報情報とを含むインデックス情報を個々のデータに付加して視聴者の受信装置に送信し、
前記受信装置は前記視聴者の個人情報と、前記インデックス情報とに基づいて前記データを取捨選択して表示すると共に、
前記インデックス情報が追加されない場合には、前記視聴者の個人情報のみに基いて前記データを直接取捨選択して表示することを特徴とするデジタルテレビ放送システム。
【請求項２】
前記放送局が前記データとして電子番組表と、視聴者の個人情報に基づいて前記電子番組表から番組を取捨選択するための前記データの内容に関係なく固定の情報と前記データの内容に応じて異なる半固定情報及び可変情報情報とを含むインデックス情報を送信し、
前記受信装置は前記視聴者の個人情報と前記インデックス情報に基づいて前記電子番組表から番組を取捨選択して表示すると共に、
前記インデックス情報が追加されない場合には、前記視聴者の個人情報のみに基いて前記データを直接取捨選択して表示することを特徴とする請求項１記載のデジタルテレビ放送システム。
【請求項３】
前記放送局が前記データとして電子チラシと、視聴者の個人情報に基づいて前記電子チラシを取捨選択するための前記データの内容に関係なく固定の情報と前記データの内容に応じて異なる半固定情報及び可変情報情報とを含むインデックス情報を送信し、
前記受信装置は前記視聴者の個人情報と前記インデックス情報に基づいて前記電子チラシを取捨選択して表示すると共に、
前記インデックス情報が追加されない場合には、前記視聴者の個人情報のみに基いて前記データを直接取捨選択して表示することを特徴とする請求項１記載のデジタルテレビ放送システム。
【請求項４】
前記受信装置が取捨選択したデータを携帯データ端末にダウンロードして表示することを特徴とする請求項１ないし３のいずれか１つに記載のデジタルテレビ放送システム。
【請求項５】
前記携帯データ端末にダウンロードされたデータをさらに店舗端末に再転送して表示することを特徴とする請求項４記載のデジタルテレビ放送システム。
【請求項６】
請求項１ないし５のいずれか１つに記載の放送局の送信装置。
【請求項７】
請求項１ないし５のいずれか１つに記載の受信装置。
【請求項８】
請求項１ないし３のいずれか１つに記載の携帯データ端末。
【請求項９】
請求項５記載の店舗端末。
【発明の詳細な説明】
【技術分野】
【０００１】
本発明は、番組を構成する映像信号と音声信号とは独立したデータを放送する
デジタルテレビ放送システム、送信装置、受信装置、携帯データ端末及び店舗端
末に関する。
【背景技術】
【０００２】
一般に、番組を構成する映像信号と音声信号とは独立したデータを放送するデ
ジタルテレビ放送システムにおいて、その映像信号の番組補助情報である電子番
組表（ＥＰＧ）データや、その映像信号と独立した情報であるニュースやお知ら
せなどのデータを送信する場合、そのデータはテレビジョン受像機の画面におい
て閲覧することが前提である。例えば電子番組表は、放送局側で番組のタイムテ
ーブルや出演者などの情報を作成し、これをユーザがテレビのリモコン装置を操
作することによりテレビ画面上に呼び出して閲覧する。
【発明の開示】
【発明が解決しようとする課題】
【０００３】
しかしながら、ユーザが電子番組表上の所望の番組を閲覧する場合、テレビの
前に位置して画面を注視してこれを検索しなければならず視認性が悪いという問
題点がある。このため、ユーザにとって実際にはチャネル変更操作を行って各チ
ャネルの画面を「流し見」するか、新聞などの印刷された番組表を見る方が早い
。同様に、ニュースや株価などの情報をテレビ画面上で見るより、より即時性の
高い有線系（例えばインターネット）のデータをパソコンで受信して閲覧する方
がより高度な情報を得ることができる。
【０００４】
なお、この問題を解決するために、携帯電話とインターネットを組み合わせた
システムが考えられるが、この場合にはデータ取得量に応じて通信費用が増大す
るので、テレビ放送のように気軽に閲覧してもコストが不要であるという経済性
と比較すると不利である。また、インターネット上に存在する膨大なデータの中
から必要とするデータを検索するまでの通信費用の方が所望のデータを受信する
通信費用より高価になることもある。
【０００５】
本発明は上記従来例の問題点に鑑み、放送により伝送される電子番組表などの
データの視認性を向上させることができるデジタルテレビ放送システム、送信装
置、受信装置及び携帯データ端末を提供することを目的とする。
本発明はまた、放送により伝送される電子番組表などを携帯することができる
携帯データ端末を提供することを目的とする。
本発明はさらに、放送により伝送される電子チラシを用いた販売システムなど
を実現することができる携帯データ端末及び店舗端末を提供することを目的とす
る。
【課題を解決するための手段】
【０００６】
本発明は上記目的を達成するために、以下の１）〜９）記載の手段よりなる。
すなわち、
【０００７】
1)番組を構成する映像信号及び音声信号とは独立したデータを放送局から送信するデジタルテレビ放送システムにおいて、
前記放送局が前記データを視聴者の個人情報に基づいて取捨選択するための前記データの内容に関係ない固定の情報と前記データの内容に応じて異なる半固定情報及び可変情報情報とを含むインデックス情報を個々のデータに付加して視聴者の受信装置に送信し、
前記受信装置は前記視聴者の個人情報と、前記インデックス情報とに基づいて前記データを取捨選択して表示すると共に、
前記インデックス情報が追加されない場合には、前記視聴者の個人情報のみに基いて前記データを直接取捨選択して表示することを特徴とするデジタルテレビ放送システム。
２）前記放送局が前記データとして電子番組表と、視聴者の個人情報に基づいて前記電子番組表から番組を取捨選択するための前記データの内容に関係なく固定の情報と前記データの内容に応じて異なる半固定情報及び可変情報情報とを含むインデックス情報を送信し、
前記受信装置は前記視聴者の個人情報と前記インデックス情報に基づいて前記電子番組表から番組を取捨選択して表示すると共に、
前記インデックス情報が追加されない場合には、前記視聴者の個人情報のみに基いて前記データを直接取捨選択して表示することを特徴とする請求項１記載のデジタルテレビ放送システム。
３）前記放送局が前記データとして電子チラシと、視聴者の個人情報に基づいて前記電子チラシを取捨選択するための前記データの内容に関係なく固定の情報と前記データの内容に応じて異なる半固定情報及び可変情報情報とを含むインデックス情報を送信し、
前記受信装置は前記視聴者の個人情報と前記インデックス情報に基づいて前記電子チラシを取捨選択して表示すると共に、
前記インデックス情報が追加されない場合には、前記視聴者の個人情報のみに基いて前記データを直接取捨選択して表示することを特徴とする請求項１記載のデジタルテレビ放送システム。
４）前記受信装置が取捨選択したデータを携帯データ端末にダウンロードして表示することを特徴とする請求項１ないし３のいずれか１つに記載のデジタルテレビ放送システム。
５）前記携帯データ端末にダウンロードされたデータをさらに店舗端末に再転送して表示することを特徴とする請求項４記載のデジタルテレビ放送システム。
６）請求項１ないし５のいずれか１つに記載の放送局の送信装置。
７）請求項１ないし５のいずれか１つに記載の受信装置。
８）請求項１ないし３のいずれか１つに記載の携帯データ端末。
９）請求項５記載の店舗端末。
【発明の効果】
【０００８】
以上説明したように本発明によれば、放送局が電子番組表や電子チラシなどの
データを放送する場合に、視聴者の個人情報に基づいて取捨選択するためのイン
デックス情報を個々のデータに付加して視聴者の受信装置に送信するようにした
ので、放送により伝送される電子番組表などのデータの視認性を向上させること
ができる。
本発明はまた、受信装置が視聴者の個人情報とインデックス情報に基づいてデ
ータを取捨選択して表示し、また、このデータを受信装置から携帯データ端末に
転送するようにしたので、放送により伝送される電子番組表や電子チラシなどを
携帯することができる。
本発明はさらに、取捨選択したデータを携帯データ端末から店舗端末に再転送
するようにしたので、放送により伝送される電子チラシを用いた販売システムな
どを実現することができる。
【発明を実施するための最良の形態】
【０００９】
以下、図面を参照して本発明の実施の形態について説明する。図１は本発明に
係るデジタルテレビ放送システムの一実施形態を示すブロック図である。
【００１０】
＜システム構成＞
図１は放送衛星１−１を用いたシステムを示している。このようなシステムに
おいて、データ放送局１−２は送信データとして、例えば電子クーポン券を含む
電子チラシ１−４を放送衛星１−１を介して送信し、また、衛星デジタル放送局
１−３は番組と共に送信データとして電子番組表（ＥＰＧ）１−５を放送衛星１
−１を介して送信する。電子番組表１−５は番組の放送日時、チャネル、放送時
間などにより構成されている。なお、本発明は衛星放送に限定されず、地上波放
送や、衛星から受信したデータを集中受信してケーブルにより配信するシステム
にも適用することができる。
【００１１】
放送衛星１−１を介して送信された電波は、家庭内の衛星放送受信装置（ＳＴ
Ｂ：セットトップボックス）１−６により受信されてＳＴＢ１−６を介してテレ
ビジョン受像機（以下、テレビ又は受像機）１−７、ＶＴＲ１−８に送られる。
さらに衛星放送受信装置（以下単に受信装置ともいう）１−６により取捨選択さ
れたデータが携帯端末１−９に転送され、さらに店舗端末に再転送される（後で
詳しく説明する）。
【００１２】
＜インデックス情報＞
放送局１−２、１−３から送信されるデータはパケット化され、１パケットの
フォーマットは、図２（ａ）に示すようにインデックス情報２−１と、電子番組
表１−５や電子チラシ１−４、ニュースなどを構成するデータ列（文字、画像）
により構成されている。インデックス情報２−１は図２（ｂ）に示すように固定
情報２−２と、半固定情報２−３と可変情報（期限付き情報）２−４により構成
されている。固定情報２−２はデータ種別により変化しない情報であり、図２（
ｃ）に示すようにデータ作成者（あるいは著作権者）と、放送業者とデータ分類
などにより構成されている。データ分類はデータの文字コードなどの種別のよう
にデータに対して対で付属し、大まかな分類に用いる。
【００１３】
半固定情報２−３はデータの内容によってある程度固定されている情報であり
、図２（ｄ）に示すように電子チラシ１−４の場合には有効な地域を限定するた
めの地域情報と、店舗情報と、年齢・性別と、その他レストランなどの業種情報
などにより構成される。半固定情報２−３はまた、電子番組表１−５の場合には
番組の放送開始時間・放送終了時間、番組の内容を分類する情報、主演者、監督
名、脚本家などにより構成される。可変情報２−４は図２（ｅ）に示すように、
電子チラシの場合には売り出し期限などのデータ有効期限と、商品の限定台数、
商品購入条件などの利用限定条件と、臨時連絡先など、寿命のあるデータにより
構成される。
【００１４】
半固定情報２−３と可変情報２−４は、一般に人間が広告などの情報やニュー
スを見る場合の行動に従って分類されている。例えば売り出しする店の住所、名
前、売り出し期間、商品、価格、商品数などに分類されている。同様に、一週間
前のニュースは現在のニュースとして価値を持たないので、その寿命も限定され
た期間のみ有効なデータとして考えられる。
【００１５】
電子番組表１−５についてもインデックス情報２−１で分類することにより、
より容易に目的のデータを抽出することができる。すなわち固定情報２−２とし
て放送局名、著作権者などを付加し、半固定情報２−３として番組の放送開始時
間・放送終了時間、番組の内容を分類する情報、主演者、監督名、脚本家など放
送内容によって毎回異なるデータを付加する。可変情報２−４のデータ有効期限
は、番組の放送開始時間・放送終了時間により特定できるので付加しなくてもよ
い。
【００１６】
＜個人情報抽出＞
図１の衛星放送受信装置１−６は、このインデックス情報２−１に基づいて、
視聴者が求めるデータを自動的に抽出するために、まず、視聴者の好み（属性）
を学習する。学習方法としては、テレビ１−７の画面を使ってインタラクティブ
に学習する方法と、バッチ処理のように規定されたデータを用いる方法がある。
前者の方法では、図３に示すような年齢、性別などの質問をテレビ画面に表示し
て視聴者にリモコン１−７−１により答えさせる。後者の方法では、視聴者が図
４に示すような質問書４−４に対する答えをパソコンなどの入力装置を介して入
力してＩＣカード４−３に書き込み、このＩＣカード４−３を受信装置１−６に
セットすることにより受信装置１−６に取り込む。なお、他の学習方法として、
音声入力方法など、受信データを分類可能な個人情報を入力可能であればどの方
法でもよい。
【００１７】
＜インデックス情報を用いたデータ抽出＞
図５を参照してインデックス情報（Index）と個人情報に基づいて視聴者の好
みのデータ（Data）を抽出する方法について説明する。まず、受信した複数のパ
ケットを受信バッファ５−１に蓄積する。なお、従来例のように全ての受信情報
をテレビ画面に表示して視聴者に選択させると視認性が悪くなる。本発明では、
この受信バッファ５−１に蓄積された情報を個人情報５−２に基づいて取捨選択
して抽出し、出力バッファ５−４に格納して、これをテレビ１−７の画面や携帯
端末１−９に表示して視聴者に選択させる。
【００１８】
図６を参照してこの処理を説明する。ステップ６−１においてスタートすると
、まず、前述した登録された個人情報５−２を読み込んでこれをデータ抽出のキ
ーワードとして用いる準備を行う（ステップ６−２）。次いで受信バッファ５−
１に蓄積された受信データを読み込み（ステップ６−３）、次いでステップ６−
４において全ての受信データを処理済でなければステップ６−５に進み、他方、
処理済の場合には終了する（ステップ６−９）。ステップ６−５では各受信パケ
ット内の固定情報２−２を個人情報に基づいて検索して、視聴者の好みと一致す
る受信データを抽出して、これを出力バッファ５−４（以下、抽出データバッフ
ァ）に格納する（ステップ６−８）。また、ステップ６−６、６−７においてそ
れぞれ各受信パケット内の半固定情報２−３、可変情報２−４を個人情報５−２
に基づいて検索して、視聴者の好みと一致する受信データを抽出して、これを抽
出データバッファ５−４に格納する（ステップ６−８）。
【００１９】
＜インデックス情報を用いないデータ抽出＞
ここで、放送局１−２、１−３から送信されるデータにインデックス情報２−
１を付加することは、受信装置１−６側でデータの取捨選択を容易に行うことが
可能となるが、ニュース、天気予報などのデータ寿命の著しく短いものや、放送
局１−２、１−３側がインデックス情報２−１を付加しない場合に対しても同様
なデータ抽出を行う必要がある。そこで、本発明では、個人情報５−２を自動的
に拡張することにより対応する。例えば図６に示すステップ６−５〜６−７にお
いてインデックス情報２−１を検索する代わりに、実際に受信した本文データの
全文を検索し、個人情報５−２内の該当するキーワードを使用している本文デー
タを選択して表示するアルゴリズムを用いる。しかし、単純な全文検索では、視
聴者の希望するデータをいつも選択できるとは限らない。
【００２０】
そこで、本発明では、図７、図８に示すように検索する単語を自動学習するこ
とによりこの問題を解決する。ステップ７−１においてスタートすると、まず、
受信バッファ５−１に蓄積された受信データを読み込み（ステップ７−２）、次
いで各受信データについて表示を行いながら視聴者がデータを読むのに必要とし
た時間を購読時間として測定する（ステップ７−３、７−４）。なお、この購読
時間の測定は、受像機１−７を用いて表示・購読を行う場合には受信装置１−６
において、また、携帯端末１−９にダウンロードした後に購読を行う場合には携
帯端末１−９において行う。
【００２１】
続くステップ７−５では、表示データのサイズ、すなわちデータ量による計測
誤差を吸収するために１文字当たりの購読時間を求める。次いでこの１文字当た
りの購読時間を用いて、各データの理論購読時間を全データについて求めて学習
用バッファに格納する（ステップ７−６〜７−８）。このようなアルゴリズムを
用いることにより、長いデータサイズの購読時間は長くなり、短いデータサイズ
の購読時間は短くなるので、データサイズによる単純な購読時間ではなく、純粋
な購読時間を求めることが可能となる。
【００２２】
ここで、視聴者が全てのデータを購読した場合、理論購読時間は多少の誤差を
含んでいても実購読時間と限りなく近くなるが、視聴者が興味のないデータを読
み飛ばした場合には、理論購読時間は実購読時間より長くなるので、視聴者がデ
ータを実際に読んだか否かの判定の指標とすることができる。図８は図７に示す
ステップ７−９における自動学習処理を詳しく示し、この自動学習処理では、理
論購読時間と実購読時間の差を用いて個人情報の学習を自動的に行い、インデッ
クス情報が付加されていない場合でも、自動的に単語を学習して的確なデータの
抽出が可能なデータに自動更新している。
【００２３】
図８に示すステップ８−１においてスタートすると、まず、学習用バッファか
ら各データの理論購読時間を読み込み（ステップ８−２）、次いで各データから
形容詞や意味のない接続詞の影響を排除するために、辞書を用いて名詞と動詞を
抽出する（ステップ８−３→８−４）。次いで抽出した単語の頻度を測定するた
めに、理論購読時間と実購読時間の差を利用して両者を比較し（ステップ８−５
）、理論購読時間より実購読時間が短い場合にはデータが読み飛ばされたと解釈
して、単語の削除の頻度に分類し（ステップ８−７）、逆に通常の購読の場合に
は単語の追加の頻度に分類して（ステップ８−６）、単語を学習させる。最後に
、頻度に応じて個人情報の単語（キーワード）の付加と削除を行って学習を実現
する。このようにして理論購読時間を用いて購読の個人差を吸収することにより
、サンプル数が増えるに従って視聴者の望むデータのみを抽出することができる
。
【００２４】
＜表示処理＞
抽出されたデータを表示する機器は、受信装置１−６に接続されている受像機
１−７のみならず携帯端末１−９でもよい。携帯端末１−９は、例えば図９に示
すように、液晶などの表示パネル９−２と、表示パネル９−２の表示領域をポイ
ンティングするための方向キー９−３と、選択した内容を決定などするための選
択ボタン９−４を有する。方向キー９−３と選択ボタン９−４の代わりに、表示
パネル９−２をタッチパネル式で構成してもよい。この携帯端末１−９と受信装
置１−６の間の通信については、有線方式の他、電波、赤外線のコードレスで、
図１０に示すように電子番組表などの抽出データと学習データや制御コマンドを
双方向通信で行う。
【００２５】
受信したデータの閲覧が受像機１−７のみならず携帯端末１−９でも可能にな
ると、ユーザが受像機１−７の前で表示データを閲覧する従来方式より、可搬性
が飛躍的に向上するので通勤途中や受像機１−７のない場所で閲覧が可能になる
。また、データは放送衛星１−１などを介して無料で放送されるので、電話回線
を用いる場合に比べて通信費用の発生や接続作業の煩雑さを防止することができ
る。
【００２６】
したがって、図１１に示すように、抽出した電子番組表（ＥＰＧ）画面を受像
機１−７のみならず携帯端末１−９でも表示できるので、手元（携帯端末１−９
）で所望の番組を確認した後、受像機１−７やＶＴＲ１−８の予約も可能となる
。また、受像機１−７に表示される電子番組表は、前述のキーワード検索や全文
検索により視聴者が当日の必要とする番組のみを選択して表示することができ、
また、携帯端末１−９にも同じ内容の情報を転送することができるので、視聴者
は受像機１−７から離れた任意の場所で番組の内容を閲覧することができる。さ
らに、予約結果も保存することができるので、従来の印刷による番組表より高度
に使用することができる。しかも、インターネットなどの有料回線を使用しない
ので、視聴者は経済的負担を必要としない。
【００２７】
＜応用システム＞
携帯端末１−９は表示画面が見やすく、表示データが可搬性であるので、従来
のシステムでは得られないシステムを実現することができる。
【００２８】
<<ショッピングシステム１>>
商品情報やサービス情報を放送により電子チラシ１−４で視聴者に無制限に配
布し、視聴者側では自分の居住地、通勤経路、嗜好などの個人情報に基づいて必
要な電子チラシを選択、抽出することができる。図１２は上記の電子チラシ１−
４を用いた場合に考えられる、携帯端末１−９のない電子ショッピングシステム
を示している。視聴者がテレビ１−７を見て商品を購入すると電話回線などの有
線ネットワーク１２−３に接続して、商品Ａの販売店１２−４が直接運営してい
る発注・決済システムか、又は商品Ｃの販売店１２−６の決済を代行する業者Ｂ
１２−５が決済手続を行って商品購入となる。すなわち、視聴者がテレビ１−７
を見て欲しい商品があった場合、決済手段はクレジットカードや電子マネーなど
の情報のみのやり取りで行うのが一般的であり、購入者と販売者が体面すること
はない。
【００２９】
このとき、ネットワーク上には決済のために必要なクレジットカード番号や商
品の配送先として購入者の住所や電話番号などの個人情報が暗号化されて伝送さ
れるが、インターネットは公共ネットワークであるので、これらの情報は暗号化
されていても全く他人にもれないという保証はない。同様に、接続した業者が得
られた個人情報を他の業者に転売したり、他の商品の宣伝に利用する可能性があ
るなどの問題が発生する。また、実際の商品購入にあたっては、店舗から自宅ま
での配送費が必要となるので、低額な商品購入時には商品本体の価格よりも送料
の方が高くなることもある。
【００３０】
そこで、図１３は上記の問題を解決する本発明のショッピングシステムを示し
ている。このシステムによれば、商品情報の取捨選択を視聴者の個人情報５−２
を用いて行い、これを携帯端末１−９にダウンロードするまでは前述した通りで
ある。そして、携帯端末１−９上でこの商品情報を閲覧できるばかりでなく、紙
のチラシを持って店に出かける感覚で使用することができる。例えば図１３では
、通販専用コーナーを有する商品Ａ販売店１３−４では、携帯端末１−９上で購
入を選択した商品情報を通販専用コーナーの端末に転送したり、係員にその表示
画面を提示することにより、係員が短時間で所望の商品を揃えることができる。
また、購入者も店内を所望の商品を求めて探し回ることなく短時間で購入できる
。また、購入者は希望の商品を直接触って確認できるので、衣類などのサイズや
色の確認を要するものも安心して購入できる。さらに、体面販売であるので、店
舗側にとっても顧客の嗜好を知ることができる。
【００３１】
このシステムは通信販売に限定されず、例えば飲食店Ｂ１３−５などのように
従来のシステムでは不可能だった分野にも適用することができる。すなわち、電
子チラシ１−４で無料券や割引券（クーポン券）を配布して、これを携帯端末１
−９上にダウンロードし、来店者が携帯端末１−９を持参して店舗端末に転送又
は提示することにより、割引サービスなど商品購入以外にも適用することができ
る。
【００３２】
<<ショッピングシステム２>>
図１３に示すシステムにおいて、店１３−４、１３−５に端末が存在する場合
、その店舗端末から携帯端末１−９に対して情報を逆転送することもできる。こ
のため、店１３−４、１３−５の、例えばチェーン店情報を逆転送するサービス
や、会員カードの代わりに店の利用ポイントを蓄えたりするサービスに適用する
ことができる。
【００３３】
<<カーナビゲーション（旅行サービス）>>
放送衛星１−１を用いた放送システムは、データを全国規模で送信できるので
、例えば図１４において、視聴者が旅行に出かける際に日程や地域情報を指定し
て、放送されているデータから該当する地域の旅行情報を選択して携帯端末１−
９に取り込む。そして、旅行情報を携帯端末１−９からカーナビゲーションシス
テム１４−４にダウンロードして位置を表示させたり、ホテルＡ又はＢの割引サ
ービス１４−５、１４−６などに用いることができる。
【図面の簡単な説明】
【００３４】
【図１】本発明に係るデジタルテレビ放送システムの一実施形態を示すブロック図である。
【図２】図１の放送局により付加されるインデックス情報を示す説明図である。
【図３】図１の受像機の個人情報入力画面を示す説明図である。
【図４】他の個人情報入力方法を示す説明図である。
【図５】データ抽出方法を示す説明図である。
【図６】データ抽出処理を説明するためのフローチャートである。
【図７】自動学習の前処理を説明するためのフローチャートである。
【図８】図７の自動学習処理を詳しく説明するためのフローチャートである。
【図９】図１の携帯端末を示す構成図である。
【図１０】受信装置から携帯端末へのダウンロードを示す説明図である。
【図１１】携帯端末による番組選択処理を示す説明図である。
【図１２】電子ショッピングを示す説明図である。
【図１３】他の電子ショッピングを示す説明図である。
【図１４】カーナビゲーションシステムを示す説明図である。
【符号の説明】
【００３５】
１−１  放送衛星
１−２，１−３  放送局
１−４  電子チラシ
１−５  電子番組表
１−６  受信装置（ＳＴＢ）
１−７  テレビジョン受像機
１−９  携帯端末
２−１  インデックス情報
２−２  固定情報
２−３  半固定情報
２−３  可変情報（期限付き情報）
【図１】
2006074801.tif 000003
【図２】
2006074801.tif 000004
【図３】
2006074801.tif 000005
【図４】
2006074801.tif 000006
【図５】
2006074801.tif 000007
【図６】
2006074801.tif 000008
【図７】
2006074801.tif 000009
【図８】
2006074801.tif 000010
【図９】
2006074801.tif 000011
【図１０】
2006074801.tif 000012
【図１１】
2006074801.tif 000013
【図１２】
2006074801.tif 000014
【図１３】
2006074801.tif 000015
【図１４】
2006074801.tif 000016